(57)【要約】【課題】  刈取穀稈を供給チェンから脱穀フィードチェンおよび引継ぎ搬送チェンへ引き継ぐ際に、搬送姿勢の乱れをなくして整然と搬送できるものとする。【解決手段】  刈取部（２）の刈取穀稈搬送終端部の供給チェン（１１）から供給される穀稈を引継いで脱穀部（３）へ搬送する株元側の脱穀フィードチェン（１３）と該脱穀フィードチェン（１３）よりも穂先側に位置する引継ぎ搬送チェン（１４）を設け、脱穀フィードチェン（１３）の始端部を引継ぎ搬送チェン（１４）の始端部よりも搬送方向上手側に配置する。【選択図】      図４
2009201429.tif 000002
【特許請求の範囲】
【請求項１】
刈取部（２）の刈取穀稈搬送終端部の供給チェン（１１）から供給される穀稈を引継いで脱穀部（３）へ搬送する株元側の脱穀フィードチェン（１３）と該脱穀フィードチェン（１３）よりも穂先側に位置する引継ぎ搬送チェン（１４）を設け、前記脱穀フィードチェン（１３）の始端部を引継ぎ搬送チェン（１４）の始端部よりも搬送方向上手側に配置したことを特徴とするコンバインの刈取穀稈引継搬送装置。
【請求項２】
前記引継ぎ搬送チェン（１４）に脱穀フィードチェン（１３）側よりも遠い側に位置する内側チェンプレート（１５）と脱穀フィードチェン（１３）に近い側に位置する外側チェンプレート（１６）を備え、前記内側チェンプレート（１５）の突起（１５ａ）を、外側チェンプレート（１６）の突起（１６ａ）よりも高く設定したことを特徴とする請求項１記載のコンバインの刈取穀稈引継搬送装置。
【発明の詳細な説明】
【技術分野】
【０００１】
この発明は、刈取後の穀稈を脱穀部に引継ぎ搬送するコンバインの刈取穀稈引継搬送装置に関する。
【背景技術】
【０００２】
従来、例えば、特許文献１に示されているように、刈取部の刈取穀稈搬送終端部の供給搬送チェンから供給される穀稈を脱穀部の脱穀フィードチェンと引継ぎ搬送チェンに引き継がせ、脱穀部の扱室内へ搬送供給して脱穀処理するようにしたものは知られている。
【特許文献１】特開２００１−２９９０５１号公報
【発明の開示】
【発明が解決しようとする課題】
【０００３】
上記従来構成のものでは、脱穀フィードチェンの始端と引継ぎ搬送チェンの始端が同一軸線上に軸架されていて左右横方向に一致するものであるため、刈取作業開始時には、刈取部の刈取穀稈搬送終端部から供給される穀稈は、株元側のフィードチェン側より先に穂先側の引継ぎ搬送チェン側に引き継がれることになり、特に穀稈が長稈の場合には、引継ぎ姿勢に乱れが生じ、株元部が下方に大きく垂れ下がってフィドチェンに受け継がれないまま下方にこぼれ落ちる問題があった。
【０００４】
本発明の課題は、上記問題点を解消し、長稈時の引継ぎ搬送姿勢を良好にして、引継ぎ時の稈こぼれを防止することにある。
【課題を解決するための手段】
【０００５】
この発明は、上記課題を解決すべく次のような技術的手段を講じた。
すなわち、請求項１記載の発明は、刈取部（２）の刈取穀稈搬送終端部の供給チェン（１１）から供給される穀稈を引継いで脱穀部（３）へ搬送する株元側の脱穀フィードチェン（１３）と該脱穀フィードチェン（１３）よりも穂先側に位置する引継ぎ搬送チェン（１４）を設け、前記脱穀フィードチェン（１３）の始端部を引継ぎ搬送チェン（１４）の始端部よりも搬送方向上手側に配置したことを特徴とするコンバインの刈取穀稈引継搬送装置とする。
【０００６】
刈取穀稈搬送終端部の供給チェン１１から供給される穀稈は、脱穀部３の引継ぎ搬送チェン１４と脱穀フィードチェン１３に引き継がれるが、この時、穀稈の株元側が穂先側の引継ぎ搬送チェン１４への引継ぎと略同時か、それよりも先に脱穀フィードチェン１３の始端に受け継がれることになり、引継ぎ後は引継ぎ搬送チェンと脱穀フィードチェンとの共同作用によって整然と持ち上げ搬送され脱穀部の扱室内に供給されて脱穀処理される。
【０００７】
このように脱穀フィードチェン１３への穀稈の受け継ぎが引継ぎ搬送チェン１４への引継ぎと略同時に受け継がれ若しくはそれよりも先行して受け継がれるようになるので、穀稈が長稈であっても株元部が下方に垂れ下がってこぼれ落ちることがなく、搬送姿勢にも乱れがなく株元側を確実に受け止めて整然と持ち上げ搬送することができる。
【０００８】
請求項２記載の発明は、前記引継ぎ搬送チェン（１４）に脱穀フィードチェン（１３）側よりも遠い側に位置する内側チェンプレート（１５）と脱穀フィードチェン（１３）に近い側に位置する外側チェンプレート（１６）を備え、前記内側チェンプレート（１５）の突起（１５ａ）を、外側チェンプレート（１６）の突起（１６ａ）よりも高く設定したことを特徴とする請求項１記載のコンバインの刈取穀稈引継搬送装置とする。
【０００９】
供給チェン１１から引継ぎ搬送チェン１４に引き継がれる穀稈の穂先側は、内側チェンプレート１５の高い突起１５ａの作用を受けながら確実に引き継がれてそのまま持ち上げ搬送される。従って、供給チェン１１から引継ぎ搬送チェン１４への引継ぎが良好に行われ、搬送穀稈が少量であっても稈こぼれをなくすことができる。
【発明の効果】
【００１０】
請求項１記載の発明によれば、脱穀フィードチェン１３の始端部が引継ぎ搬送チェン１４の始端部よりも搬送方向上手側に延出されて受け継ぎ搬送可能に構成されてあるので、脱穀フィードチェン１３への穀稈の引き継ぎが引継ぎ搬送チェン１４と略同時に行え、若しくはそれよりも先行して行えるようになり、穀稈が長稈であっても株元部が下方に垂れ下がってこぼれ落ちることがなく、搬送姿勢にも乱れがなくなり株元側を確実に受け止めて整然と持ち上げ搬送することができる。
【００１１】
また、請求項２記載の発明によれば、請求項１記載の発明の効果を奏するものでありながら、引継ぎ搬送チェン１４に引き継がれる穀稈の穂先側が内側チェンプレートの高い突起１５ａによって確実に持ち上げ搬送されることになり、株元側へのずれ落ちや始端側前方への稈こぼれを確実に防止することができる。
【発明を実施するための最良の形態】
【００１２】
この発明の実施例を図面に基づき説明する。
コンバインは、主として立毛穀稈を刈り取って搬送する車体１前部の刈取部２と、刈取部２から搬送供給される穀稈を脱穀処理する車体後部の脱穀部３とからなる。
【００１３】
刈取部２は、立毛する穀稈を左右に分草する分草体５，５…、分草後の穀稈を引き起す６条分の穀稈引起し装置６…、引起し後の穀稈を刈り取るバリカン式の刈取装置７、刈取後の穀稈を掻込搬送する掻込搬送装置８、掻込搬送後の穀稈を引き継いで揚上搬送し後方の脱穀部３に搬送供給する刈取穀稈搬送装置９等からなり、車体に対して上下に昇降可能で前後方向に沿わせて設けた刈取縦フレーム１７及び該刈取縦フレームの先端に左右横方向に沿わせて設けた刈取横フレーム１８に装備している。刈取穀稈搬送装置９の終端側には、穀稈を扱深さ調節チェン１０を介して脱穀部３側に搬送供給する株元側供給チェン１１と穂先側ラグ付き供給チェン１２が上下に配して設けられ、前記脱穀部３の脱穀フィードチェン１３に適正姿勢で穀稈を受け継ぎさせるように配置構成している。
【００１４】
穀稈の株元側を受け継いで挟持搬送する脱穀フィードチェン１３の穀稈穂先側には、前記供給チェン１１からの穀稈を引き継いで搬送する引継ぎ搬送チェン１４が設けられている。脱穀フィードチェン１３と引継ぎ搬送チェン１４との関係は、フィードチェン１３の始端部が引継ぎ搬送チェン１４の始端部よりも搬送方向上手側に長く延出されてあり、引継ぎ搬送チェン１４の始端に引き継がれる穀稈の株元側を下から支えるように受け継いで掻き上げ搬送する構成になっている。また、この引継ぎ搬送チェン１４と前記供給チェン１１との関係においては、供給チェン１１の終端ローラ位置と引継ぎ搬送チェン１４の始端ローラ位置とが前後方向において一致する配置関係にあり、両者間での穀稈の引継ぎが良好に行えるようにしている。そして、この引継ぎ搬送チェン１４は、脱穀フィードチェン１３側より遠い側（供給チェン１１側）に位置する内側チェンプレート１５の突起１５ａが、近い側の外側チェンプレート１６の突起１６ａよりも（Ｈ）分上方に高くして、供給チェン１１から引継ぎ搬送チェン１４への穀稈の引継ぎが良好に行えるようにしている。
【００１５】
以上のように構成されるので、刈取作業にあたり、刈取穀稈搬送終端部の供給チェン１１から供給される穀稈は、脱穀部３の引継ぎ搬送チェン１４と脱穀フィードチェン１３とに引き継がれるが、この時、穀稈の株元側が、穂先側の引継ぎ搬送チェン１４への引継ぎと略同時に引き継がれ、若しくはそれよりも先に脱穀フィードチェン１３の始端に受け継がれることになり、そして、引継ぎ後は引継ぎ搬送チェン１４と脱穀フィードチェン１３との共同作用によって整然と持ち上げ搬送され、脱穀部３に至ってはフィードチェン１３による株元側の挟持搬送に伴い穂先側部が引継ぎ搬送チェン１４の終端から扱室内に供給されて回転する扱胴１９によって脱穀処理される。
【００１６】
図５に示すように、脱穀フィードチェン１３の上側に対設する挟持レール１３ａの始端部の穀稈取込み部に、挟持レール１３ａによる挟持力よりも弱い押圧力を保持する弾性変位可能な穀稈押圧バネ２１を設けることにより、少量穀稈でも停滞させることなくスムースに挟持搬送できるようにしている。図例では、この穀稈押圧バネ２１は、始端が上向きに湾曲する断面コ字型の挟持レール間に介装（図６参照）すると共に、先端を脱穀フィードチェン１３の上面に対設させて押圧保持する構成としている。なお、この押圧バネの側面視での形状及び取付構成については、図５又は図７に示すような構成例がある。
【００１７】
次に図８に示す実施例について説明する。
この図例では、刈取部２の刈取穀稈搬送終端部から脱穀部３の脱穀フィードチェン１３始端部に引き継がれる穀稈の引継ぎ状態をカメラで撮影し、この写し出された映像をキャビン２３のフロントガラス２４に表示「引継表示部（イ）参照」するようにしている。例えば、刈取作業の開始にあたり、刈脱クラッチレバー２５の操作で刈脱クラッチを入りにすると、カメラが稼動して引継ぎ部での穀稈の引継ぎ状態を撮影するようにし、そして、この引継ぎ状態を逐次フロントガラスに画像表示することによってオペレータは運転席２６から正面を見ながら穀稈の停滞等を瞬時に判断することができる。なお、この表示位置は、フロントガラス２４の左側に表示することで視界の邪魔になりにくい。また、刈取作業中は、主に右分草体５Ｒを見ながら作業を行うので、この右分草体による分草状況をフロントガラスの右側に表示「分草表示部（ロ）参照」するようにしておくこともでき、作業能率を高めることができる。
【００１８】
更に、図９に示す実施例のように、本機の後方をフロントガラスに表示「刈跡表示部（ハ）参照」するようにしておくと、作業状況や刈り残しなどを容易に確認することができる。
【００１９】
また、図１０に示すように、通常、液晶モニタに表示されている項目で、見る頻度が高いもの、例えば、馬力負荷、籾重点量、詰り警報等をフロントガラスに表示「高頻度表示部（ニ）参照」するようにし、それ以外のものは小さく構成した液晶モニタ２７の画面で確認するように構成することもできる。
【図面の簡単な説明】
【００２０】
【図１】コンバイン要部の平面図
【図２】コンバイン要部の側面図
【図３】同上要部の側面図
【図４】同上要部の平面図
【図５】脱穀フィードチェンの要部の側面図
【図６】同上要部の正面図
【図７】脱穀フィードチェン要部の側面図
【図８】コンバイン要部の背面側斜視図
【図９】別実施例のコンバイン要部の背面側斜視図
【図１０】別実施例のコンバイン要部の背面側斜視図
【符号の説明】
【００２１】
２    刈取部
３    脱穀部
９    刈取穀稈搬送装置
１１    供給チェン
１３    脱穀フィードチェン
１４    引継ぎ搬送チェン
１５    内側チェンプレート
１６    外側チェンプレート
１５ａ  内側チェンプレートの突起            
１６ａ  外側チェンプレートの突起
【図１】
2009201429.tif 000003
【図２】
2009201429.tif 000004
【図３】
2009201429.tif 000005
【図４】
2009201429.tif 000006
【図５】
2009201429.tif 000007
【図６】
2009201429.tif 000008
【図７】
2009201429.tif 000009
【図８】
2009201429.tif 000010
【図９】
2009201429.tif 000011
【図１０】
2009201429.tif 000012